(57)【要約】【課題】施工性が良好で、通気を確保しつつ、小動物の侵入を防止出来、ユニット建物に用いて好適な基礎上換気構造を提供することを課題とする。【解決手段】基礎３上面３ａと、ユニット建物１１下面側１３ａとの間に基礎パッキング材１４…を介在させて、高さ方向に換気用の間隙１５を形成する基礎上換気構造である。間隙１５には、水平方向に延設されて、小動物が通り抜け出来ないように高さ方向の間隔が設定されて、水平帯状板材１８，１８が設けられて、取付具１７，１７を介して、基礎パッキング材１４外側面に装着されている。【選択図】　図１
2004143725.tif 000002
【特許請求の範囲】
【請求項１】
基礎上面と、建物本体下面側との間に基礎パッキング材を介在させて、高さ方向に換気用の間隙を形成する基礎上換気構造であって、
前記間隙には、水平方向に延設されて、小動物が通り抜け出来ないように高さ方向の間隔を設定して装着する水平帯状板材を設けたことを特徴とする基礎上換気構造。
【請求項２】
前記水平帯状板材は、前記基礎パッキング材に支持されていることを特徴とする請求項１記載の基礎上換気構造。
【請求項３】
前記建物本体は、ユニット建物であることを特徴とする請求項１又は２記載の基礎上換気構造。
【発明の詳細な説明】
【０００１】
【発明の属する技術分野】
本発明は、施工性が良好で、通気を確保しつつ、小動物の侵入を防止できる基礎上換気構造に関する。
【０００２】
【従来の技術】
従来、図１０，１１に示すような基礎上換気構造が知られている（例えば、特許文献１参照）。
【０００３】
このようなものでは、複数の建物ユニット２…を隣接配置して構成されるユニット建物１のうち、主に前記建物ユニット２…から構成される建物本体が、基礎３の上面３ａに載置されることによって地表に固定されている。
【０００４】
この基礎３の上面３ａと、前記建物本体の下面側２ａとの間には、この建物ユニット２の隅部の下面側２ａから下方に向けて延設される脚部２ｂ，２ｂが、所定の高さ距離ｈ１を有して介装されていて、換気用の間隙４が外周面略全域に渡り形成されている。
【０００５】
そして、この間隙４には、金網で構成されて通気性を有する防鼠ネット部材５が、建物本体側の下フレーム部材２ｃの外周面下縁及び、前記脚部２ｂ側面等に固定されて装着されている。
【０００６】
更に、この防鼠ネット部材５の外側には、前記下側フレーム部材２ｃと壁パネル部材２ｄの枠体２ｅとの間に上縁部６ａを挟持される水切り部材６が別体で設けられている。
【０００７】
次に、この従来の基礎上換気構造の作用について説明する。
【０００８】
この従来の基礎上換気構造では、前記防鼠ネット部材５の金網のメッシュの大きさを小動物（鼠等）が通り抜け出来ないように設定することにより、図１１中一点鎖線で示されるような通気性を確保しつつ、小動物のユニット建物１床下空間への侵入が防止される。
【０００９】
また、図１２に示す様な水切り部材７に防鼠ネット部材５を固定する下側取付片部７ａを一体に形成して、水切り部材７の装着と共に、前記防鼠ネット部材５の装着も完了させて、施工工数を削減するものも知られている。
【００１０】
更に、図１３に示すように、水切り部材８に、直接、内外方向に貫通する複数の縦スリット部８ａ…を複数本、並設形成しているものも知られている。
【００１１】
このようなのものでは、前記縦スリット部８ａ…の開口幅を一定幅に設定することにより、通気性を持たせつつ、小動物のユニット建物１床下空間への侵入が防止される。
【００１２】
【特許文献１】
特開２００１−１１５５６０号公報（段落番号００１５〜００２０、第１．４．６図）
【００１３】
【発明が解決しようとする課題】
しかしながら、上記従来の基礎上換気構造では、図１１に示すように、防鼠ネット部材５が、建物本体側の下フレーム部材２ｃの外周面下縁及び、前記脚部２ｂ側面等に固定されるので、脚部２ｂが存在しない或いは、脚部２ｂの高さ距離ｈ１が殆ど無い建物ユニット２等には、装着できない。
【００１４】
このため、基礎３上面に配置される建物ユニット２のみ、他の上階建物ユニット２等と異なるフレーム枠体の構成を採用しなければならず、規格の建物ユニット２を用いることが出来ないので、製造コストが増大してしまうといった問題があった。
【００１５】
また、前記図１１に示す水切り部材６と略同様に、前記下側フレーム部材２ｃと壁パネル部材２ｄの枠体２ｅとの間に、水切り部材７の上縁部７ｂ又は水切り部材８の上縁部８ｂが挟持されて、ユニット建物１に、前記水切り部材７又は８が固定される。
【００１６】
このため、工場で前記壁パネル部材２ｄを装着するユニット建物１の建物ユニット２では、採用が困難であった。
【００１７】
すなわち、工場で、前記水切り部材７又は８が、前記壁パネル部材２ｄの装着と共に固定されると、前記水切り部材７又は８が、前記建物ユニット２の下面側２ａから突出してしまう。このため、搬送時に別途養生が必要となるといった問題があった。
【００１８】
また、前記壁パネル部材２ｄの装着を、前記水切り部材７又は８の後から前記施工現場で行うように工程を変更すると、工場内で、壁パネル部材の雨仕舞いが略完了していて現場作業工数を減らし、工期を短縮出来るユニット建物１のユニット工法のメリットが減少してしまうといった問題があった。
【００１９】
そこで、本発明は、上記の問題に鑑みて為されたものであり、施工性が良好で、通気を確保しつつ、小動物の侵入を防止出来、ユニット建物に用いて好適な基礎上換気構造を提供することを課題とするものである。
【００２０】
【課題を解決するための手段】
上記課題を解決するために、請求項１に記載のものでは、基礎上面と、建物本体下面側との間に基礎パッキング材を介在させて、高さ方向に換気用の間隙を形成する基礎上換気構造であって、前記間隙には、水平方向に延設されて、小動物が通り抜け出来ないように高さ方向の間隔を設定して装着する水平帯状板材を設けた基礎上換気構造を特徴としている。
【００２１】
ここで、前記小動物が通り抜け出来ない間隔とは、小動物が鼠である場合には、８ｍｍ以下に設定される。
【００２２】
このように構成された請求項１記載のものでは、前記水平方向に延設された水平帯状板材が、前記基礎上面と、建物本体下面側との間に形成された間隙に、装着される。
【００２３】
該水平帯状板材の高さ方向の間隔が、小動物が通り抜け出来ないように設定されているので、通気が確保されつつ、小動物の侵入が防止される。
【００２４】
また、請求項２に記載されたものでは、前記水平帯状板材は、前記基礎パッキング材に支持されている請求項１記載の基礎上換気構造を特徴としている。
【００２５】
このように構成された請求項２記載のものでは、前記水平帯状板材が、前記基礎パッキング材に支持されているので、該水平帯状板材の装着を前記建物本体組み立てと独立して行っても、基礎上面と、建物本体下面側との間に装着できる。
【００２６】
このため、例えば、壁パネル部材等を工場等で予め建物本体に装着するユニット建物のユニット工法でも、施工現場で、該水平帯状板材を前記基礎パッキング材に支持させて固定することにより、独立して施工できる。
【００２７】
従って、脚部等が存在しない或いは、脚部の高さ距離が殆ど無い建物ユニット等であっても、装着出来る。
【００２８】
更に、請求項３に記載されたものでは、前記建物本体が、ユニット建物である請求項１又は２記載の基礎上換気構造を特徴としている。
【００２９】
このように構成された請求項３記載のものでは、ユニット建物のように、予め、工場内で、壁パネル部材等が、建物本体である建物ユニットに装着されるユニット建物に用いても、前記従来のように、建物本体の下方に突出する部分が存在しないので、搬送時の養生等が不要となり、搬送後、容易に施工できる。
【００３０】
従って、工場内で雨仕舞いを略完了させて現場作業工数を減らし、工期を短縮できるユニット建物に用いて好適である。
【００３１】
【発明の実施の形態１】
以下、本発明の実施の形態１に係る基礎上換気構造を図１乃至図３を用いて説明する。なお、従来例と同一乃至均等な部分については、同一符号を付して説明する。
【００３２】
この実施の形態１の基礎上換気構造では、図１乃至図３に示すように、複数の上階建物ユニット１２…及び下階建物ユニット１３…を隣接配置して構成されるユニット建物１１のうち、主に前記上，下階建物ユニット１２，１３…から構成される建物本体が、基礎３の上面３ａに載置されることによって地表に固定されている。
【００３３】
この基礎３の上面３ａと、前記下階建物ユニット１３の下面側１３ａを構成する下側フレーム部材１３ｂとの間には、このユニット建物１１の隅部及び中間部に、所定の間隔を置いて複数の基礎パッキング材１４，１４が介在されて、高さ方向に換気用の間隙１５が形成されている。
【００３４】
前記間隙１５には、水平方向に延設されて、小動物が通り抜け出来ないように高さ方向の間隔ｈ２〜ｈ４が、設定される上下２枚の水平帯状板材１８，１８が、ビス１６，１６によって、前記基礎パッキング材１４の外側面１４ａに固定される取付具１７，１７を介して装着されている。
【００３５】
この実施の形態１では、水平帯状板材１８，１８が、各々同一断面を有し、安価な平板部材で構成されている。
【００３６】
ここで、前記小動物が通り抜け出来ない間隔とは、小動物が鼠である場合には、８ｍｍ以下となるように、設定されている。
【００３７】
すなわち、この実施の形態１の取付具１７は、樹脂製材料で構成されると共のに、前記ビス１６を挿通するビス孔１７ｂの上，下位置に、前記水平帯状板材１８，１８を上下方向から挟持して装着する係止溝１７ａ，１７ａが前記外側面１４ａ側に凹設形成されている。
【００３８】
そして、この係止溝１７ａ，１７ａの上下方向の間隔ｈ２が、図３中に示すように、８ｍｍとなるように設定されている。
【００３９】
更に、この実施の形態１では、前記取付具１７の上下側側面から上下方向に各々突設形成された上，下フランジ部１７ｃ，１７ｃが、前記ビス孔１７ｂを挟んで上下対称となるように一体に形成されている。
【００４０】
これらの上，下フランジ部１７ｃ，１７ｃの各上，下端縁は、前記下階建物ユニット１３の下面側１３ａ及び前記基礎３の上面３ａに各々当接されることにより、前記取付具１７の上下位置を規制している。
【００４１】
この上下位置の規制によって、この実施の形態１では、図３に示すように、前記上側の水平帯状板材１８と、前記下側フレーム部材１３ｂの下面側１３ａとの間隙ｈ３が約７ｍｍとなるように構成されている。また、下側の水平帯状板材１８と前記基礎３の上面３ａとの間隙ｈ４が約７ｍｍとなるように構成されている。
【００４２】
この実施の形態１では、図２に示すように、前記下階建物ユニット１３の下側フレーム部材１３ｂは、アンカーボルト１９及びナット２０を用いて、施工現場で、前記基礎３の上面３ａに前記基礎パッキング材１４…を介在させて固定される。
【００４３】
また、この下階建物ユニット１３の外壁を構成する壁パネル部材２ｄは、無機モール２１を係止するモール係止具２２と共に、前記下側フレーム部材１３ｂの外側面１３ｃに予め工場内で、施工現場への搬送前に、ビス２３を用いて固定されて、この下階建物ユニット１３の外側面に装着されている。
【００４４】
更に、この実施の形態１では、壁パネル部材２ｄと、前記下側フレーム部材１３ｂの外側面１３ｃとの間に壁下シート部材２４が介在されて、この下階建物ユニット１３が、基礎３上に配置された状態で、前記取付具１７の上面を、この壁下シート部材２４の下端２４ａが覆うように構成されている。
【００４５】
次に、この実施の形態１の作用について説明する。
【００４６】
この実施の形態１では、まず、前記壁パネル部材２ｄが、予め工場内にて、無機モール２１を係止するモール係止具２２と共に、前記下側フレーム部材１３ｂの外側面１３ｃに、ビス２３を用いて固定されてから、施工現場へ搬送される。
【００４７】
施工現場では、基礎３の上面３ａに、前記複数の基礎パッキング材１４…が、所定間隔をおいて配置されると共に、前記水平方向に延設される。
【００４８】
そして、この基礎パッキング材１４の側面部１４ａに、前記取付具１７，１７によって、水平帯状板材１８，１８が、装着されて、前記基礎３ａの上面３ａと、建物本体下面側１３ａとの間に形成された間隙１５に、位置される。
【００４９】
この水平帯状板材１８，１８間の高さ方向の間隙ｈ２、前記建物本体下面側１３ａと上側の水平帯状板材１８との間隙ｈ３及び前記基礎３ａの上面３ａと、下側の水平帯状板材１８との間隙ｈ４は、各々鼠等の小動物が通り抜け出来ないように、この実施の形態１では、８ｍｍ及び７ｍｍに設定されているので、通気が確保されつつ、これらの小動物の侵入が防止される。
【００５０】
また、前記水平帯状板材１８，１８は、前記取付具１７を介して基礎パッキング材１４に支持されている。
【００５１】
従って、水平帯状板材１８，１８の装着を前記建物本体を構成する上，下階建物ユニット１２，１３の組み立てと独立して行っても、基礎３の上面３ａと、ユニット建物１１の下面側１３ａとの間に装着できる。
【００５２】
このため、例えば、壁パネル部材２ｄ等を工場等で予め上，下階建物ユニット１２，１３に装着するユニット建物１１のユニット工法でも、施工現場で、この水平帯状板材１８，１８を前記基礎パッキング材１４に支持させて固定することにより、独立して施工してから組み合わせることができる。
【００５３】
従って、脚部等が存在しない或いは、脚部の高さ距離が殆ど無い建物ユニット等であっても、装着出来、この実施の形態１では、上，下階建物ユニット１２，１３のフレーム枠体の構成を同様なものとすることが出来る。
【００５４】
このため、規格の建物ユニットを上，下階建物ユニット１２，１３全てに、用いることが出来、製造コストの増大を抑制出来る。
【００５５】
下階建物ユニット１３載置後、次に、前記無機モール２１を前記モール係止具２２に係止して装着する。
【００５６】
この実施の形態１では、予め、工場内で、壁パネル部材２ｄ等が、下階建物ユニット１３に装着されるユニット建物１１に用いても、前記従来のように、建物本体の下方に突出する水切り部材等の部分が存在しないので、搬送時の養生等が不要となり、搬送後、容易に施工できる。
【００５７】
従って、工場内で、壁パネル部材２ｄの装着まで行い、雨仕舞いを略完了させて現場作業工数を減らし、工期を短縮出来るので、ユニット建物１１のユニット工法に用いて好適である。
【００５８】
更に、この実施の形態１では、前記ビス１６，１６を廻して、前記取付具１７を取り外すことにより、容易に前記水平帯状板材１８，１８を交換出来、メンテナンス性も良好である。
【００５９】
また、この実施の形態１の水平帯状板材１８，１８が、安価な平板部材で構成されているので、製造コストの上昇が抑制されると共に、各々同一断面を有しているので、材積も小さく抑えられる。
【００６０】
このため、積層により搬送が容易であると共に、ストックヤードの面積も抑えられて、この点においても、製造コストの上昇が抑制される。
【００６１】
【実施の形態２】
図４及び図５は、この発明の実施の形態２の基礎上換気構造を示すものである。
【００６２】
なお、前記実施の形態１と同一乃至均等な部分については、同一符号を付して説明を省略し、相違する部分を中心として以下、詳述する。
【００６３】
この実施の形態２の基礎上換気構造では、前記基礎パッキング材１４の外側面１４ａに固定される取付具２７，２７を介して、小動物が通り抜け出来ないように高さ方向の間隔ｈ５〜ｈ７が、設定される上下２枚の水平帯状板材２８，２８が装着されている。
【００６４】
この実施の形態２の取付具２７は、アルミ型材製で、前記水平帯状板材２８，２８を間に挿入することにより、各々上下方向から挟持する大，小係止爪部２７ｄ，２７ｅが、上下一対づつ、この取付具外側面から外側方に向けて一体となるように突設形成されている。
【００６５】
また、前記水平帯状板材２８，２８は、外側縁部２８ａ，２８ａをこれらの両水平帯状板材２８，２８端縁間を近接させる方向に、屈曲させて形成されている。
【００６６】
そして、この実施の形態２では、図５に示すように、この外側縁部２８ａ，２８ａの両端縁間の高さ方向の間隙ｈ５が、８ｍｍとなるように設定されている。
【００６７】
また、前記上側の水平帯状板材２８と、前記下側フレーム部材１３ｂの下面側１３ａとの間隙ｈ６が約５．３ｍｍとなるように構成されている。
【００６８】
更に、下側の水平帯状板材２８と前記基礎３の上面３ａとの間隙ｈ７が約５．３ｍｍとなるように構成されている。
【００６９】
次に、この実施の形態２の作用について説明する。
【００７０】
この実施の形態２の基礎上換気構造では、前記実施の形態１の作用効果に加えて、更に、前記水平帯状板材２８，２８の外側縁部２８ａ，２８ａの両端縁間が近接するように、屈曲されているので、実施の形態１の基礎上換気構造よりも更に狭く、前記上側の水平帯状板材２８と、前記下側フレーム部材１３ｂの下面側１３ａとの間隙ｈ６が約５．３ｍｍに、又、下側の水平帯状板材２８と前記基礎３の上面３ａとの間隙ｈ７が約５．３ｍｍとなるように設定できる。
【００７１】
従って、部品点数を増大させたり、水平帯状板材２８の厚みを増大させることなく、広い間隙１５を少ない水平帯状板材２８，２８で効率的に小動物の侵入を防止できる間隙量まで狭めることができる。
【００７２】
また、上側の水平帯状板材２８の外側縁部２８ａは、下方に向けて屈曲されて傾斜しているので、前記壁下シート部材２４の下端２４ａを貼設しやすい。
【００７３】
このため、更に、施工性が良好である。
【００７４】
この実施の形態２では、前記水平帯状板材２８，２８を建物施工完了後でも、外側方から前記取付具２７を取り外すことなく装脱着可能であるので、更に、メンテナンス性が良好である。
【００７５】
他の構成、及び作用効果については、前記実施の形態１と略同様であるので、説明を省略する。
【００７６】
【実施の形態３】
図６及び図７は、この発明の実施の形態３の基礎上換気構造を示すものである。
【００７７】
なお、前記実施の形態１，２と同一乃至均等な部分については、同一符号を付して説明を省略し、相違する部分を中心として以下、詳述する。
【００７８】
この実施の形態３の基礎上換気構造では、前記基礎パッキング材１４の外側面１４ａに左，右一対の取付具３７，３７が、各々ビス１６，１６によって固定されている。
【００７９】
これらの取付具３７，３７には、小動物が通り抜け出来ないように高さ方向の間隔ｈ２〜ｈ４が、設定される上下２枚の水平帯状板材３８，３８が、アルゴン溶接によって固着されている。
【００８０】
また、この実施の形態３の取付具３７，３７には、両取付具３７，３７の突き合わせ面に、補強板材３７ａ，３７ａが、一体となるように固着されていて、前記水平帯状板材３８，３８の端縁を、この補強板材３７ａ，３７ａの各側面に突き当てて固着させている。
【００８１】
次に、この実施の形態３の作用について説明する。
【００８２】
この実施の形態３の基礎上換気構造では、前記実施の形態１，２の作用効果に加えて、更に、上下２枚の水平帯状板材３８，３８が、アルゴン溶接によって取付具３７，３７に固着されて一体となっているので、装着性が更に良好である。
【００８３】
他の構成、及び作用効果については、前記実施の形態１，２と略同様であるので、説明を省略する。
【００８４】
【実施の形態４】
図８及び図９は、この発明の実施の形態４の基礎上換気構造を示すものである。
【００８５】
なお、前記実施の形態１乃至３と同一乃至均等な部分については、同一符号を付して説明を省略し、相違する部分を中心として以下、詳述する。
【００８６】
この実施の形態４の基礎上換気構造では、前記基礎パッキング材１４の外側面１４ａに、前記実施の形態２の取付具２７，２７が、各々ビス１６，１６によって固定されている。
【００８７】
これらの取付具２７，２７には、上側の大，小係止爪部２７ｄ，２４ｅ間には、水平帯状水切板材４８が挿入されて、上下方向から挟持されている。
【００８８】
この水平帯状水切板材４８には、平板帯状の基板部４８ｂ外側縁から、下方に向けて傾斜する水切部４８ａが一体となるように略全長に渡って形成されている。
【００８９】
この水切部４８ａの外側端は、図８に示すように、前記基礎３の外側面よりも建物外側に位置するように設定されている。
【００９０】
また、下側の大，小係止爪部２７ｄ，２４ｅ間には、水平帯状水切板材４９が挿入されて、上下方向から挟持されて装着されている。
【００９１】
次に、この実施の形態４の作用について説明する。
【００９２】
この実施の形態４の基礎上換気構造では、前記実施の形態１乃至３の作用効果に加えて、更に、壁パネル部材２ｄの外表面を伝って流下する雨水も、前記水平帯状水切板材４８によって、基礎３の外側面３ｂよりも外側に導かれて排水される。
【００９３】
このため、下階建物ユニット１３の床下空間にこれらの雨水が流入する虞がない。
【００９４】
他の構成、及び作用効果については、前記実施の形態１乃至３と略同様であるので、説明を省略する。
【００９５】
以上、実施の形態１乃至４を用いて本願発明に係る基礎上換気構造を説明してきたが、本発明に係る基礎上換気構造は、実施の形態１乃至４において示したものには、限定されない。
【００９６】
例えば、実施の形態１においては、上下２枚の水平帯状板材１８，１８を用いたものを例示して説明してきたが、間隙１５の大きさによっては、一枚或いは、三枚以上の複数枚の水平帯状板材１８…を用いても良く、小動物が通り抜け出来ないように高さ方向の間隔が設定されて装着される水平帯状板材１８等であれば、数量、形状、及び材質が特に限定されるものではない。
【００９７】
【発明の効果】
以上説明してきたように、請求項１に記載された発明では、前記水平方向に延設された水平帯状板材が、前記基礎上面と、建物本体下面側との間に形成された間隙に、装着される。
【００９８】
該水平帯状板材の高さ方向の間隔が、小動物が通り抜け出来ないように設定されているので、通気が確保されつつ、小動物の侵入が防止される。
【００９９】
また、請求項２に記載されたものでは、前記水平帯状板材が、前記基礎パッキング材に支持されているので、該水平帯状板材の装着を前記建物本体組み立てと独立して行っても、基礎上面と、建物本体下面側との間に装着できる。
【０１００】
このため、例えば、壁パネル部材等を工場等で予め建物本体に装着するユニット建物の建物ユニットでも、施工現場で、該水平帯状板材を前記基礎パッキング材に支持させて固定することにより、独立して施工できる。
【０１０１】
従って、脚部等が存在しない或いは、脚部の高さ距離が殆ど無い建物ユニット等であっても、装着出来る。
【０１０２】
更に、請求項３に記載されたものでは、ユニット建物のように、予め、工場内で、壁パネル部材等が、建物本体である建物ユニットに装着されるユニット建物に用いても、前記従来のように、建物本体の下方に突出する部分が存在しないので、搬送時の養生等が不要となり、搬送後、容易に施工できる。
【０１０３】
従って、工場内で雨仕舞いを略完了させて現場作業工数を減らし、工期を短縮できるユニット建物に用いて好適である、という実用上有益な効果を発揮する。
【図面の簡単な説明】
【図１】本発明の実施の形態１に係る基礎上換気構造で、ユニット建物全体の構成を説明する斜視図である。
【図２】実施の形態１に係る基礎上換気構造で、要部の構成を説明する図１中Ａ−Ａ線に沿った位置での断面図である。
【図３】実施の形態１の基礎上換気構造で、ユニット建物の壁パネル部材を取り外し、図１中矢視Ｂ方向から見た正面図である。
【図４】実施の形態２に係る基礎上換気構造で、要部の構成を説明する図１中Ａ−Ａ線に沿った位置に相当する位置での断面図である。
【図５】実施の形態２の基礎上換気構造で、ユニット建物の壁パネル部材を取り外し、図１中矢視Ｂ方向から見た位置に相当する位置での正面図である。
【図６】実施の形態３に係る基礎上換気構造で、要部の構成を説明する図１中Ａ−Ａ線に沿った位置に相当する位置での断面図である。
【図７】実施の形態３の基礎上換気構造で、ユニット建物の壁パネル部材を取り外し、図１中矢視Ｂ方向から見た位置に相当する位置での正面図である。
【図８】実施の形態４に係る基礎上換気構造で、要部の構成を説明する図１中Ａ−Ａ線に沿った位置に相当する位置での断面図である。
【図９】実施の形態４の基礎上換気構造で、ユニット建物の壁パネル部材を取り外し、図１中矢視Ｂ方向から見た位置に相当する位置での正面図である。
【図１０】従来例の基礎上換気構造で、全体の構成を説明する分解斜視図である。
【図１１】従来例の基礎上換気構造で、図１０中Ｃ−Ｃ線に沿った位置での断面図である。
【図１２】一従来例の基礎上換気構造で、水切部材に一体に設けられた防鼠ネット部材の構成を説明する斜視図である。
【図１３】他の従来例の基礎上換気構造で、水切りに一体に設けられた防鼠部材の斜視図である。
【符号の説明】
２ｄ　　　　　　　壁パネル部材
３　　　　　　　　基礎
３ａ　　　　　　　上面
建物本体
１１　　　　　　　ユニット建物
１２　　　　　　　上階建物ユニット
１３　　　　　　　下階建物ユニット
１３ａ　　　　　　下面側
１４　　　　　　　基礎パッキング材
１５　　　　　　　間隙
１７，２７，３７　取付具
１８，２８，３８，４９　水平帯状板材
４８　　　　　　　水平帯状水切板材
【図１】
2004143725.tif 000003
【図２】
2004143725.tif 000004
【図３】
2004143725.tif 000005
【図４】
2004143725.tif 000006
【図５】
2004143725.tif 000007
【図６】
2004143725.tif 000008
【図７】
2004143725.tif 000009
【図８】
2004143725.tif 000010
【図９】
2004143725.tif 000011
【図１０】
2004143725.tif 000012
【図１１】
2004143725.tif 000013
【図１２】
2004143725.tif 000014
【図１３】
2004143725.tif 000015